(57)【特許請求の範囲】
【請求項１】
第１端末のタッチスクリーンに利用される、タッチスクリーンのポイント報告を処理するための方法であって、
第１端末の電源管理モジュールによって第１端末の充電ポートが接続状態にあることが検出されると、前記電源管理モジュールが送信した前記第１端末の充電ポートが接続状態にあることを示すための第１状態信号を受信するステップと、
前記第１状態信号に基づいて対応する第１感度閾値を前記タッチスクリーンに設定するステップと、
前記第１感度閾値に基づいてタッチスクリーンのポイント報告に対して処理を行って、処理後のポイント報告情報を第１端末のホスト側に送信するステップと
を含むことを特徴とする方法。
【請求項２】
前記電源管理モジュールが送信した第１状態信号を受信するステップは、
前記電源管理モジュールによって前記ホスト側に送信されてから、前記ホスト側によって前記タッチスクリーンに転送された、前記第１状態信号を、受信するステップ
を含むことを特徴とする請求項１に記載の方法。
【請求項３】
前記第１状態信号に基づいて対応する第１感度閾値を設定するステップは、
前記第１状態信号に基づいて対応する第１スキャン頻度を設定するステップ
を含むことを特徴とする請求項１又は２に記載の方法。
【請求項４】
前記第１感度閾値に基づいてタッチスクリーンのポイント報告に対して処理を行うステップは、
前記第１感度閾値及び前記第１スキャン頻度に基づいて、前記タッチスクリーンのポイント報告に対して処理を行うステップ
を含むことを特徴とする請求項３に記載の方法。
【請求項５】
前記電源管理モジュールによって前記充電ポートがアイドル状態にあることが検出されると、前記電源管理モジュールが送信した前記充電ポートがアイドル状態にあることを示すための第２状態信号を受信するステップと、
前記第２状態信号に基づいて前記第１感度閾値より小さい対応する第２感度閾値を設定するステップと、
前記第２感度閾値に基づいて前記タッチスクリーンのポイント報告に対して処理を行って、処理後の前記ポイント報告情報を前記ホスト側に送信するステップと
をさらに含むことを特徴とする請求項１に記載の方法。
【請求項６】
前記電源管理モジュールが送信した第２状態信号を受信するステップは、
前記電源管理モジュールによって前記ホスト側に送信されてから、前記ホスト側によって前記タッチスクリーンに転送された、前記第２状態信号を、受信するステップ
を含むことを特徴とする請求項５に記載の方法。
【請求項７】
前記第２状態信号に基づいて対応する第２感度閾値を設定するステップは、
前記第２状態信号に基づいて対応する第２スキャン頻度を設定するステップ
を含むことを特徴とする請求項５又は６に記載の方法。
【請求項８】
前記第２感度閾値に基づいて前記タッチスクリーンのポイント報告に対して処理を行うステップは、
前記第２感度閾値及び前記第２スキャン頻度に基づいて前記タッチスクリーンのポイント報告に対して処理を行うステップ
を含むことを特徴とする請求項７に記載の方法。
【請求項９】
第１端末のタッチスクリーンに利用される、タッチスクリーンのポイント報告を処理するための装置であって、
第１端末の電源管理モジュールによって第１端末の充電ポートが接続状態にあることが検出されると、前記電源管理モジュールが送信した前記第１端末の充電ポートが接続状態にあることを示すための第１状態信号を受信する第１受信モジュールと、
前記第１受信モジュールが受信した前記第１状態信号に基づいて対応する第１感度閾値を前記タッチスクリーンに設定する第１設定モジュールと、
前記第１設定モジュールが設定した前記第１感度閾値に基づいてタッチスクリーンのポイント報告に対して処理を行って、処理後のポイント報告情報を第１端末のホスト側に送信する第１処理モジュールと
を備えることを特徴とする装置。
【請求項１０】
前記第１受信モジュールは、
前記電源管理モジュールによって前記ホスト側に送信されてから、前記ホスト側によって前記タッチスクリーンに転送された、前記第１状態信号を、受信する第１受信サブモジュール
を備えることを特徴とする請求項９に記載の装置。
【請求項１１】
前記第１設定モジュールは、
前記第１状態信号に基づいて対応する第１スキャン頻度を設定する第１設定サブモジュール
を備えることを特徴とする請求項９又は１０に記載の装置。
【請求項１２】
前記第１処理モジュールは、
前記第１感度閾値及び前記第１スキャン頻度に基づいて、前記タッチスクリーンのポイント報告に対して処理を行う第１処理サブモジュール
を備えることを特徴とする請求項１１に記載の装置。
【請求項１３】
前記電源管理モジュールによって前記充電ポートがアイドル状態にあることが検出されると、前記電源管理モジュールが送信した前記充電ポートがアイドル状態にあることを示すための第２状態信号を受信する第２受信モジュールと、
前記第２受信モジュールが受信した前記第２状態信号に基づいて前記第１感度閾値より小さい対応する第２感度閾値を設定する第２設定モジュールと、
前記第２設定モジュールが設定した前記第２感度閾値に基づいて前記タッチスクリーンのポイント報告に対して処理を行って、処理後の前記ポイント報告情報を前記ホスト側に送信する第２処理モジュールと
をさらに備えることを特徴とする請求項９に記載の装置。
【請求項１４】
前記第２受信モジュールは、
前記電源管理モジュールによって前記ホスト側に送信されてから、前記ホスト側によって前記タッチスクリーンに転送された、前記第２状態信号を、受信する第２受信サブモジュール
を備えることを特徴とする請求項１３に記載の装置。
【請求項１５】
前記第２設定モジュールは、
前記第２状態信号に基づいて対応する第２スキャン頻度を設定する第２設定サブモジュール
を備えることを特徴とする請求項１３又は１４に記載の装置。
【請求項１６】
前記第２処理モジュールは、
前記第２感度閾値及び前記第２スキャン頻度に基づいて前記タッチスクリーンのポイント報告に対して処理を行う第２処理サブモジュール
を備えることを特徴とする請求項１５に記載の装置。
【請求項１７】
第１端末のタッチスクリーンに利用される、タッチスクリーンのポイント報告を処理するための装置であって、
プロセッサと、
前記プロセッサが実行可能な命令を記憶するためのメモリと
を備え、
前記プロセッサは、
第１端末の電源管理モジュールによって第１端末の充電ポートが接続状態にあることが検出されると、前記電源管理モジュールが送信した前記第１端末の充電ポートが接続状態にあることを示すための第１状態信号を受信し、
前記第１状態信号に基づいて対応する第１感度閾値を前記タッチスクリーンに設定し、
前記第１感度閾値に基づいてタッチスクリーンのポイント報告に対して処理を行って、処理後のポイント報告情報を第１端末のホスト側に送信する
ように構成されることを特徴とする装置。
【請求項１８】
第１端末の電源管理モジュールによって第１端末の充電ポートが接続状態にあることが検出されると、前記電源管理モジュールが送信した前記第１端末の充電ポートが接続状態にあることを示すための第１状態信号を受信し、
前記第１状態信号に基づいて対応する第１感度閾値をタッチスクリーンに設定し、
前記第１感度閾値に基づいてタッチスクリーンのポイント報告に対して処理を行って、処理後のポイント報告情報を第１端末のホスト側に送信する、
処理を、プロセッサに実行させることを特徴とするプログラム。
【請求項１９】
第１端末の電源管理モジュールによって第１端末の充電ポートが接続状態にあることが検出されると、前記電源管理モジュールが送信した前記第１端末の充電ポートが接続状態にあることを示すための第１状態信号を受信し、
前記第１状態信号に基づいて対応する第１感度閾値をタッチスクリーンに設定し、
前記第１感度閾値に基づいてタッチスクリーンのポイント報告に対して処理を行って、処理後のポイント報告情報を第１端末のホスト側に送信する、
処理を、プロセッサに実行させるプログラムが記録された記録媒体。
【発明の詳細な説明】
【技術分野】
【０００１】
本発明は、ネットワーク通信技術分野に関し、特に、タッチスクリーンのポイント報告を処理するための方法、装置、プログラム、及び記録媒体に関する。
【背景技術】
【０００２】
ネットワーク通信技術の発展に伴い、タッチスクリーンを有するスマートフォンも、ますます、幅広く応用されていく。関連技術において、スマートフォンは、多くの新たな機能を提供して、ユーザの操作を便利にしている。しかし、スマートフォンが充電器或いはその他の端末に接続されると、タッチスクリーンの応答感度が大幅に高くなって、誤りポイント報告の現象がよく発生して、ユーザを邪魔することになる。
【発明の概要】
【発明が解決しようとする課題】
【０００３】
本発明は、関連技術に存在する問題を解決するために、タッチスクリーンのポイント報告を処理するための方法、装置、プログラム、及び記録媒体を提供する。
【課題を解決するための手段】
【０００４】
本発明の実施例に係る第１の態様によると、第１端末のタッチスクリーンに利用される、タッチスクリーンのポイント報告を処理するための方法を提供する。
【０００５】
上記方法は、
第１端末の電源管理モジュールによって第１端末の充電ポートが接続状態にあることが検出されると、上記電源管理モジュールが送信した上記第１端末の充電ポートが接続状態にあることを示すための第１状態信号を受信するステップと、
上記第１状態信号に基づいて対応する第１感度閾値を設定するステップと、
上記第１感度閾値に基づいてタッチスクリーンのポイント報告に対して処理を行って、処理後の上記ポイント報告情報を第１端末のホスト側に送信するステップと
を含む。
【０００６】
オプションとして、上記電源管理モジュールが送信した第１状態信号を受信するステップは、
上記電源管理モジュールによって上記ホスト側に送信されてから、上記ホスト側によって上記タッチスクリーンに転送された、上記第１状態信号を、受信するステップを含む。
【０００７】
オプションとして、上記第１状態信号に基づいて対応する第１感度閾値を設定するステップは、
上記第１状態信号に基づいて対応する第１スキャン頻度を設定するステップを含む。
【０００８】
オプションとして、上記第１感度閾値に基づいてタッチスクリーンのポイント報告に対して処理を行うステップは、
上記第１感度閾値及び上記第１スキャン頻度に基づいて、タッチスクリーンのポイント報告に対して処理を行うステップを含む。
【０００９】
オプションとして、上記方法は、
上記電源管理モジュールによって上記充電ポートがアイドル状態にあることが検出されると、上記電源管理モジュールが送信した上記充電ポートがアイドル状態にあることを示すための第２状態信号を受信するステップと、
上記第２状態信号に基づいて上記第１感度閾値より小さい対応する第２感度閾値を設定するステップと、
上記第２感度閾値に基づいてタッチスクリーンのポイント報告に対して処理を行って、処理後の上記ポイント報告情報を上記ホスト側に送信するステップと
をさらに含む。
【００１０】
オプションとして、上記電源管理モジュールが送信した第２状態信号を受信するステップは、
上記電源管理モジュールによって上記ホスト側に送信されてから、上記ホスト側によって上記タッチスクリーンに転送された、上記第２状態信号を、受信するステップを含む。
【００１１】
オプションとして、上記第２状態信号に基づいて対応する第２感度閾値を設定するステップは、
上記第２状態信号に基づいて対応する第２スキャン頻度を設定するステップを含む。
【００１２】
オプションとして、上記第２感度閾値に基づいてタッチスクリーンのポイント報告に対して処理を行うステップは、
上記第２感度閾値及び上記第２スキャン頻度に基づいてタッチスクリーンのポイント報告に対して処理を行うステップを含む。
【００１３】
本発明の実施例に係る第２の態様によると、第１端末のタッチスクリーンに利用される、タッチスクリーンのポイント報告を処理するための装置を提供する。
【００１４】
上記装置は、
第１端末の電源管理モジュールによって第１端末の充電ポートが接続状態にあることが検出されると、上記電源管理モジュールが送信した上記第１端末の充電ポートが接続状態にあることを示すための第１状態信号を受信する第１受信モジュールと、
上記第１受信モジュールが受信した上記第１状態信号に基づいて対応する第１感度閾値を設定する第１設定モジュールと、
上記第１設定モジュールが設定した上記第１感度閾値に基づいてタッチスクリーンのポイント報告に対して処理を行って、処理後の上記ポイント報告情報を第１端末のホスト側に送信する第１処理モジュールとを備える。
【００１５】
オプションとして、上記第１受信モジュールは、
上記電源管理モジュールによって上記ホスト側に送信されてから、上記ホスト側によって上記タッチスクリーンに転送された、上記第１状態信号を、受信する第１受信サブモジュールを備える。
【００１６】
オプションとして、上記第１設定モジュールは、
上記第１状態信号に基づいて対応する第１スキャン頻度を設定する第１設定サブモジュールを備える。
【００１７】
オプションとして、上記第１処理モジュールは、
上記第１感度閾値及び上記第１スキャン頻度に基づいて、タッチスクリーンのポイント報告に対して処理を行う第１処理サブモジュールを備える。
【００１８】
オプションとして、上記装置は、
上記電源管理モジュールによって上記充電ポートがアイドル状態にあることが検出されると、上記電源管理モジュールが送信した上記充電ポートがアイドル状態にあることを示すための第２状態信号を受信する第２受信モジュールと、
上記第２受信モジュールが受信した上記第２状態信号に基づいて上記第１感度閾値より小さい対応する第２感度閾値を設定する第２設定モジュールと、
上記第２設定モジュールが設定した上記第２感度閾値に基づいてタッチスクリーンのポイント報告に対して処理を行って、処理後の上記ポイント報告情報を上記ホスト側に送信する第２処理モジュールとをさらに備える。
【００１９】
オプションとして、上記第２受信モジュールは、
上記電源管理モジュールによって上記ホスト側に送信されてから、上記ホスト側によって上記タッチスクリーンに転送された、上記第２状態信号を、受信する第２受信サブモジュールを備える。
【００２０】
オプションとして、上記第２設定モジュールは、
上記第２状態信号に基づいて対応する第２スキャン頻度を設定する第２設定サブモジュールを備える。
【００２１】
オプションとして、上記第２処理モジュールは、
上記第２感度閾値及び上記第２スキャン頻度に基づいてタッチスクリーンのポイント報告に対して処理を行う第２処理サブモジュールを備える。
【００２２】
本発明の実施例に係る第３の態様によると、第１端末のタッチスクリーンに利用される、タッチスクリーンのポイント報告を処理するための装置を提供する。
【００２３】
上記装置は、
プロセッサと、
上記プロセッサが実行可能な命令を記憶するためのメモリと
を備え、
上記プロセッサは、
第１端末の電源管理モジュールによって第１端末の充電ポートが接続状態にあることが検出されると、上記電源管理モジュールが送信した上記第１端末の充電ポートが接続状態にあることを示すための第１状態信号を受信し、
上記第１状態信号に基づいて対応する第１感度閾値を設定し、
上記第１感度閾値に基づいてタッチスクリーンのポイント報告に対して処理を行って、処理後の上記ポイント報告情報を第１端末のホスト側に送信する
ように構成される。
本発明の実施例の第４の態様によると、プログラムを提供し、当該プログラムは、プロセッサに実行されることにより、上記の方法を実現する。
本発明の実施例の第５の態様によると、記録媒体を提供し、当該記録媒体には、上記プログラムが記録されている。
【発明の効果】
【００２４】
本発明の実施例が提供する構成の有益な効果は以下のとおりである。
【００２５】
本発明によると、第１端末のタッチスクリーンは、電源管理モジュールが送信した上記第１端末の充電ポートが接続状態にあることを示すための第１状態信号を受信して、第１状態信号に基づいて対応する第１感度閾値を設定し、第１感度閾値に基づいてタッチスクリーンのポイント報告に対して処理を行って、処理後のポイント報告情報を第１端末のホスト側に送信する。これにより、タッチスクリーンによって充電ポートが接続状態になったことを検知されると、対応する感度閾値を自動的に設定することにより、タッチスクリーンのポイント報告を処理する精度を改善した上で、タッチスクリーンの誤りポイント報告を防止した。
【００２６】
本発明によると、第１端末のタッチスクリーンは、第１状態信号を受信した後に、対応する第１感度閾値及び第１スキャン頻度を設定し、第１感度閾値及び第１スキャン頻度に基づいてタッチスクリーンのポイント報告に対して処理を行う。これにより、処理後のポイント報告情報が誤りポイント報告の頻度を低くして、誤りポイント報告によってユーザに邪魔を与えることを防止して、ユーザ体験を改善した。
【００２７】
本発明によると、第１端末のタッチスクリーンは、電源管理モジュールが送信した充電ポートがアイドル状態にあることを示すための第２状態信号を受信し、第２状態信号に基づいて第１感度閾値より小さい対応する第２感度閾値を設定し、第２感度閾値に基づいてタッチスクリーンのポイント報告に対して処理を行って、処理後のポイント報告情報をホスト側に送信する。ここで、特に、第２感度閾値を第１感度閾値より小さく設定することにより、タッチスクリーンのポイント報告の精度を保証した前提で、電力を節約した上で、端末の安全な性能を改善した。
【００２８】
本発明によると、第１端末のタッチスクリーンは、第２状態信号を受信した後、対応する第２感度閾値及び第２スキャン頻度を設定し、第２感度閾値及び第２スキャン頻度に基づいてタッチスクリーンのポイント報告に対して処理を行う。これにより、処理後のポイント報告情報が誤りポイント報告の頻度を低くして、誤りポイント報告によってユーザに邪魔を与えることを防止して、ユーザ体験を改善した。
【００２９】
本発明によると、第１端末の電源管理モジュールは、ハードウェア割り込み方法或いはソフトウェア命令の方法によって、充電ポートが接続状態にあることを示すための第１状態信号、或いは、充電ポートがアイドル状態にあることを示すための第２状態信号を、タッチスクリーンに送信する。このようにして、第１端末のパーソナライズ設計要求を満たした上で、タッチスクリーンのポイント報告の処理効率を改善した。
【００３０】
以上の統括な記述と以下の細部記述は、ただ例示的なものであり、本発明を制限するものではないと、理解するべきである。
【図面の簡単な説明】
【００３１】
ここでの図面は、明細書に合併されて本明細書の一部を構成して本発明に合致する実施例を示し、明細書とともに本発明の原理の説明するに用いられる。
【図１】本発明の例示的な一つの実施例に係るタッチスクリーンのポイント報告を処理するための方法を示すフローチャートである。
【図２】本発明の例示的なもう一つの実施例に係るタッチスクリーンのポイント報告を処理するための方法を示すフローチャートである。
【図３】本発明の例示的な一つの実施例に係るタッチスクリーンのポイント報告を処理するための方法の応用シーンを示す図面である。
【図４】本発明の例示的な一つの実施例に係るタッチスクリーンのポイント報告を処理するための装置を示すブロック図である。
【図５】本発明の例示的なもう一つの実施例に係るタッチスクリーンのポイント報告を処理するための装置を示すブロック図である。
【図６】本発明の例示的なもう一つの実施例に係るタッチスクリーンのポイント報告を処理するための装置を示すブロック図である。
【図７】本発明の例示的なもう一つの実施例に係るタッチスクリーンのポイント報告を処理するための装置を示すブロック図である。
【図８】本発明の例示的なもう一つの実施例に係るタッチスクリーンのポイント報告を処理するための装置を示すブロック図である。
【図９】本発明の例示的なもう一つの実施例に係るタッチスクリーンのポイント報告を処理するための装置を示すブロック図である。
【図１０】本発明の例示的なもう一つの実施例に係るタッチスクリーンのポイント報告を処理するための装置を示すブロック図である。
【図１１】本発明の例示的な一つの実施例に係るタッチスクリーンのポイント報告を処理するための装置を示すブロック図である。
【図１２】本発明の例示的な一つの実施例に係るタッチスクリーンのポイント報告を処理するための装置の構成を示す模式図である。
【発明を実施するための形態】
【００３２】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３３】
本発明に用いる用語は、特定の実施例を説明するものに過ぎず、本発明を限定するものではない。本発明及び特許請求の範囲に記載の単数形式の「１種類」、「前記」及び「当該」は、前後の文章においてそれぞれ他の意味を含有すると明確に記載される以外には、複数の形式も含んでいる。ここで、本発明に記載の「及び／又は」は、挙げられる事項の1つ又は複数の何れ又は全ての組み合わせを意味する。
【００３４】
本発明は、第１の、第２の、第３の等の用語により各種の情報を説明しているが、それらの情報は上記用語に限られない。これらの用語は、同じ種類の情報同士を区分するためのものに過ぎない。例えば、本発明の範囲から逸脱しない場合、第１の情報を第２の情報と称しても良い。同じように、第２の情報を第１の情報と称してもよい。用語「……場合」は、上下文により、「……時」或は「……と」又は「確定に応じる」に解釈されてもよい。
【００３５】
図１は、本発明の例示的な一つの実施例に係るタッチスクリーンのポイント報告を処理するための方法を示すフローチャートである。上記方法は、第１端末のタッチスクリーンに利用され、以下のステップを含む。
【００３６】
ステップ１１０において、第１端末の電源管理モジュールによって第１端末の充電ポートが接続状態にあることが検出されると、電源管理モジュールが送信した上記第１端末の充電ポートが接続状態にあることを示すための第１状態信号を受信する。
【００３７】
本発明の実施例の第１端末は、タッチスクリーンを有する任意のスマート端末であってもよく、例えば、具体的に、携帯電話、タブレットＰＣ、パーソナル・ディジタル・アシスタント（Ｐｅｒｓｏｎａｌ Ｄｉｇｉｔａｌ Ａｓｓｉｓｔａｎｔ、ＰＤＡ）、パーソナルコンピュータ（Ｐｅｒｓｏｎａｌ Ｃｏｍｐｕｔｅｒ、ＰＣ）等であってもよい。ここで、スマート端末は、無線ＬＡＮを介してルータに接続して、ルータを介してパブリックネットワーク上のサーバにアクセスしてもよい。
【００３８】
本発明の実施例の第１端末は、電源管理側（即ち、電源処理モジュール）、タッチスクリーン及びホスト（ｈｏｓｔ）側を含んでもよい。ここで、ホスト側は、中央処理装置（Ｃｅｎｔｒａｌ Ｐｒｏｃｅｓｓｉｎｇ Ｕｎｉｔ、ＣＰＵ）及びメモリ等を含んでもよい。
【００３９】
本発明の実施例において、タッチスクリーンが受信する電源管理側によって送信された第１状態情報は、上記第１端末の充電ポートが接続状態にあることを示すための信号である。ここで、接続状態は、第１端末と充電器とが接続状態にあることを示し、その目的は、第１端末が充電器を利用して充電することである。接続状態は、さらに、第１端末と第２端末とが接続状態にあることを示し、その目的は、第２端末との間でデータを伝送することである。
【００４０】
ステップ１２０において、第１状態信号に基づいて対応する第１感度閾値を設定する。
【００４１】
本発明の実施例において、第１端末のタッチスクリーンは、第１端末の充電ポートが接続状態になると、自身の感度閾値を新たに設定する必要がある。例えば、相対的に高い感度閾値を設定して、タッチスクリーンのコモンモード干渉によるノイズによって発生する誤りポイント報告を防止できる。
【００４２】
ステップ１３０において、第１感度閾値に基づいてタッチスクリーンのポイント報告に対して処理を行って、処理後のポイント報告情報を第１端末のホスト側に送信する。
【００４３】
上記の実施例によると、第１端末の電源管理モジュールによって第１端末の充電ポートが接続状態にあることが検出されると、電源管理モジュールが送信した上記第１端末の充電ポートが接続状態にあることを示すための第１状態信号を受信して、第１状態信号に基づいて対応する第１感度閾値を設定し、第１感度閾値に基づいてタッチスクリーンのポイント報告に対して処理を行って、処理後のポイント報告情報を第１端末のホスト側に送信することにより、タッチスクリーンによって充電ポートが接続状態になったことを検知されると、対応する感度閾値を自動的に設定することにより、タッチスクリーンのポイント報告を処理する精度を改善した上で、タッチスクリーンの誤りポイント報告を防止した。
【００４４】
一つの実施例において、ステップ１１０の電源管理モジュールが送信した第１状態信号を受信するステップを実行する際に、以下の二種の受信方法を採用してもよい。
【００４５】
（１）電源管理モジュールが直接的に送信した第１状態信号を受信する。例えば、電源管理側がハードウェア割り込みの方法によって第１状態情報をタッチスクリーンに直接的に送信する。
【００４６】
（２）ホスト側が転送した第１状態信号を受信する。例えば、電源管理モジュールがホスト側に送信してから、ホスト側が上記第１状態信号をタッチスクリーンに転送する。
【００４７】
例えば、電源管理側が、ソフトウェア命令の方法によって、第１状態信号をホスト側に送信してから、ホスト側が上記第１状態信号をタッチスクリーンに転送してもよい。
【００４８】
上記の実施例によると、電源管理モジュールは、ハードウェア割り込み方法或いはソフトウェア命令の方法によって、第１状態信号をタッチスクリーンに送信する。このようにして、第１端末のパーソナライズ設計要求を満たした上で、タッチスクリーンのポイント報告の処理効率を改善した。
【００４９】
一つの実施例において、ステップ１２０の第１状態信号に基づいて対応する第１感度閾値を設定するステップを実行する際に、第１状態信号に基づいて対応する第１スキャン頻度を設定してもよい。
【００５０】
これに対応して、ステップ１３０の第１感度閾値に基づいてタッチスクリーンのポイント報告に対して処理を行う際に、第１感度閾値及び第１スキャン頻度に基づいてタッチスクリーンのポイント報告に対して処理を行ってもよい。
【００５１】
上記の実施例によると、第１状態信号を受信した後に、対応する第１感度閾値及び第１スキャン頻度を設定し、第１感度閾値及び第１スキャン頻度に基づいてタッチスクリーンのポイント報告に対して処理を行うことにより、処理後のポイント報告情報が誤りポイント報告の頻度を低くして、誤りポイント報告によってユーザに邪魔を与えることを防止して、ユーザ体験を改善した。
【００５２】
図２は、本発明の例示的なもう一つの実施例に係るタッチスクリーンのポイント報告を処理するための方法を示すフローチャートである。上記方法は、第１端末のタッチスクリーンに利用され、図１に示した方法を基として、以下のステップを含んでもよい。
【００５３】
ステップ２１０において、電源管理モジュールによって充電ポートがアイドル状態にあることが検出されると、電源管理モジュールが送信した充電ポートがアイドル状態にあることを示すための第２状態信号を受信する。
【００５４】
ステップ２２０において、第２状態信号に基づいて第１感度閾値より小さい対応する第２感度閾値を設定する。
【００５５】
本発明の実施例において、第１端末のタッチスクリーンは、第１端末の充電ポートがアイドル状態にあると、自身の感度閾値を新たに設定する必要がある。例えば、相対的に低い感度閾値を設定することにより、タッチスクリーンのポイント報告の処理を完成させてもよい。
【００５６】
ステップ２３０において、第２感度閾値に基づいてタッチスクリーンのポイント報告に対して処理を行って、処理後のポイント報告情報をホスト側に送信する。
【００５７】
上記の実施例によると、電源管理モジュールによって充電ポートがアイドル状態にあることが検出されると、電源管理モジュールが送信した充電ポートがアイドル状態にあることを示すための第２状態信号を受信し、第２状態信号に基づいて第１感度閾値より小さい対応する第２感度閾値を設定し、第２感度閾値に基づいてタッチスクリーンのポイント報告に対して処理を行って、処理後のポイント報告情報をホスト側に送信する。ここで、特に、第２感度閾値を第１感度閾値より小さく設定することにより、タッチスクリーンのポイント報告の精度を保証した前提で、電力を節約した上で、端末の安全な性能を改善した。
【００５８】
一つの実施例において、ステップ２１０の電源管理モジュールが送信した第２状態信号を受信する処理を実行する際に、以下の二種の受信方法を採用してもよい。
【００５９】
（１）電源管理モジュールが直接的に送信した第２状態信号を受信する。例えば、電源管理側がハードウェア割り込みの方法によって第２状態信号をタッチスクリーンに直接的に送信する。
【００６０】
（２）ホスト側が転送した第２状態信号を受信する。例えば、電源管理モジュールがホスト側に送信してから、ホスト側が上記第２状態信号をタッチスクリーンに転送する。
【００６１】
例えば、電源管理側は、ソフトウェア命令の方法によって、第２状態信号をホスト側に送信してから、ホスト側により上記第２状態信号をタッチスクリーンに転送する。
【００６２】
上記の実施例によると、電源管理モジュールは、ハードウェア割り込み方法或いはソフトウェア命令の方法によって、第２状態信号をタッチスクリーンに送信する。このようにして、第１端末のパーソナライズ設計要求を満たした上で、タッチスクリーンのポイント報告の処理効率を改善した。
【００６３】
一つの実施例において、ステップ２２０の第２状態信号に基づいて対応する第２感度閾値を設定する処理を実行する際に、さらに、第２状態信号に基づいて対応する第２スキャン頻度を設定してもよい。
【００６４】
これに対し、ステップ２３０の第２感度閾値に基づいてタッチスクリーンのポイント報告に対して処理を行う際に、第２感度閾値及び第２スキャン頻度に基づいてタッチスクリーンのポイント報告に対して処理を行ってもよい。
【００６５】
上記の実施例によると、第２状態信号を受信した後、対応する第２感度閾値及び第２スキャン頻度を設定し、第２感度閾値及び第２スキャン頻度に基づいてタッチスクリーンのポイント報告に対して処理を行うことにより、処理後のポイント報告情報が誤りポイント報告の頻度を低くして、誤りポイント報告によってユーザに邪魔を与えることを防止して、ユーザ体験を改善した。
【００６６】
図３は、本発明の例示的な一つの実施例に係るタッチスクリーンのポイント報告を処理するための方法の応用シーンを示す図面である。上記応用シーンは、第１端末とするスマートフォンを含み、上記スマートフォンは、電源管理モジュール、充電ポート、ホスト側及びタッチスクリーンを含む。
【００６７】
電源管理モジュールは、充電ポートの状態に対する検出を担当し、第１端末の充電ポートが接続状態になったことが検出されると、充電ポートが接続状態にあることを示すための第１状態信号をタッチスクリーンに直接的に送信してもよいし、或いは、ホスト側を介して第１状態信号をタッチスクリーンに転送してもよい。同様に、第１端末の充電ポートがアイドル状態になったことが検出されると、充電ポートがアイドル状態にあることを示すための第２状態信号をタッチスクリーンに直接的に送信してもよいし、或いは、ホスト側を介して第２状態信号をタッチスクリーンに転送してもよい。
【００６８】
タッチスクリーンは、受信した状態信号に基づいてタッチスクリーンのポイント報告の処理方法を調整することを担当する。第１状態信号を受信した後、対応する第１感度閾値を設定し、第１感度閾値に基づいてタッチスクリーンのポイント報告に対して処理を行って、処理後のポイント報告情報をホスト側に送信する。同様に、第２状態信号を受信した後、対応する第２感度閾値を設定し、第２感度閾値に基づいてタッチスクリーンのポイント報告に対して処理を行って、処理後のポイント報告情報をホスト側に送信する。
【００６９】
本発明は、前記のタッチスクリーンのポイント報告を処理するための方法の実施例に対応して、タッチスクリーンのポイント報告を処理するための装置の実施例を、さらに、提供する。
【００７０】
図４は、本発明の例示的な一つの実施例に係るタッチスクリーンのポイント報告を処理するための装置を示すブロック図である。上記装置は、第１端末のタッチスクリーンに利用され、図１に示したタッチスクリーンのポイント報告を処理するための方法を実行する。上記装置は、第１受信モジュール４１、第１設定モジュール４２及び第１処理モジュール４３を備える。
【００７１】
ここで、第１受信モジュール４１は、第１端末の電源管理モジュールによって第１端末の充電ポートが接続状態にあることが検出されると、上記電源管理モジュールが送信した上記第１端末の充電ポートが接続状態にあることを示すための第１状態信号を受信する。
【００７２】
第１設定モジュール４２は、上記第１受信モジュール４１が受信した上記第１状態信号に基づいて対応する第１感度閾値を設定する。
【００７３】
第１処理モジュール４３は、上記第１設定モジュール４２が設定した上記第１感度閾値に基づいて、タッチスクリーンのポイント報告に対して処理を行って、処理後の上記ポイント報告情報を第１端末のホスト側に送信する。
【００７４】
上記の実施例によると、第１端末の電源管理モジュールによって第１端末の充電ポートが接続状態にあることが検出されると、電源管理モジュールが送信した上記第１端末の充電ポートが接続状態にあることを示すための第１状態信号を受信して、第１状態信号に基づいて対応する第１感度閾値を設定し、第１感度閾値に基づいてタッチスクリーンのポイント報告に対して処理を行って、処理後のポイント報告情報を第１端末のホスト側に送信することにより、タッチスクリーンによって充電ポートが接続状態になったことを検知されると、対応する感度閾値を自動的に設定することにより、タッチスクリーンのポイント報告を処理する精度を改善した上で、誤りポイント報告を防止した。
【００７５】
図５は、本発明の例示的なもう一つの実施例に係るタッチスクリーンのポイント報告を処理するための装置を示すブロック図である。上記実施例は、前記の図４に示した実施例を基として、第１受信モジュール４１は、第１受信サブモジュール５１を備えてもよい。
【００７６】
ここで、第１受信サブモジュール５１は、上記ホスト側が転送した上記第１状態信号、つまり、上記電源管理モジュールによって上記ホスト側に送信されてから、上記ホスト側によって上記タッチスクリーンに転送された、上記第１状態信号を、受信する。
【００７７】
上記の第１受信モジュール４１が受信した上記第１状態信号は、電源管理側がハードウェア割り込みの方法によってタッチスクリーンに直接的に送信した第１状態情報であってもよい。第１受信サブモジュール５１が受信した上記第１状態信号は、電源管理側がソフトウェア命令の方法によってホスト側に送信してから、ホスト側がタッチスクリーンに転送した、第１状態信号であってもよい。
【００７８】
上記の実施例によると、電源管理モジュールは、ハードウェア割り込み方法或いはソフトウェア命令の方法によって、第１状態信号をタッチスクリーンに送信する。このようにして、第１端末のパーソナライズ設計要求を満たした上で、タッチスクリーンのポイント報告の処理効率を改善した。
【００７９】
図６は、本発明の例示的なもう一つの実施例に係るタッチスクリーンのポイント報告を処理するための装置を示すブロック図である。上記実施例は、前記の図４又は図５に示した実施例を基として、第１設定モジュール４２は、第１設定サブモジュール６１を備えてもよい。
【００８０】
ここで、第１設定サブモジュール６１は、上記第１状態信号に基づいて対応する第１スキャン頻度を設定する。
【００８１】
図７は、本発明の例示的なもう一つの実施例に係るタッチスクリーンのポイント報告を処理するための装置を示すブロック図である。上記実施例は、前記の図６に示した実施例を基として、第１処理モジュール４３は、第１処理サブモジュール７１を備えてもよい。
【００８２】
ここで、第１処理サブモジュール７１は、上記第１感度閾値及び上記第１スキャン頻度に基づいて、タッチスクリーンのポイント報告に対して処理を行う。
【００８３】
上記の実施例によると、第１状態信号を受信した後に、対応する第１感度閾値及び第１スキャン頻度を設定し、第１感度閾値及び第１スキャン頻度に基づいてタッチスクリーンのポイント報告に対して処理を行うことにより、処理後のポイント報告情報が誤りポイント報告の頻度を低くして、誤りポイント報告によってユーザに邪魔を与えることを防止して、ユーザ体験を改善した。
【００８４】
図８は、本発明の例示的なもう一つの実施例に係るタッチスクリーンのポイント報告を処理するための装置を示すブロック図である。上記実施例は、前記の図４に示した実施例を基として、第２受信モジュール８１、第２設定モジュール８２及び第２処理モジュール８３をさらに備える。
【００８５】
ここで、第２受信モジュール８１は、上記電源管理モジュールによって上記充電ポートがアイドル状態にあることが検出されると、上記電源管理モジュールが送信した上記充電ポートがアイドル状態にあることを示すための第２状態信号を受信する。
【００８６】
第２設定モジュール８２は、上記第２受信モジュールが受信した上記第２状態信号に基づいて上記第１感度閾値より小さい対応する第２感度閾値を設定する。
【００８７】
第２処理モジュール８３は、上記第２設定モジュールが設定した上記第２感度閾値に基づいてタッチスクリーンのポイント報告に対して処理を行って、処理後の上記ポイント報告情報を上記ホスト側に送信する。
【００８８】
上記の実施例によると、電源管理モジュールによって充電ポートがアイドル状態にあることが検出されると、電源管理モジュールが送信した充電ポートがアイドル状態にあることを示すための第２状態信号を受信し、第２状態信号に基づいて第１感度閾値より小さい対応する第２感度閾値を設定し、第２感度閾値に基づいてタッチスクリーンのポイント報告に対して処理を行って、処理後のポイント報告情報をホスト側に送信する。ここで、特に、第２感度閾値を第１感度閾値より小さく設定することにより、タッチスクリーンのポイント報告の精度を保証した前提で、電力を節約した上で、端末の安全な性能を改善した。
【００８９】
図９は、本発明の例示的なもう一つの実施例に係るタッチスクリーンのポイント報告を処理するための装置を示すブロック図である。上記実施例は、前記の図８に示した実施例を基として、第２受信モジュール８１は、第２受信サブモジュール９１を備えてもよい。
【００９０】
ここで、第２受信サブモジュール９１は、上記ホスト側が転送した上記第２状態信号、つまり、上記電源管理モジュールによって上記ホスト側に送信されてから、上記ホスト側によって上記タッチスクリーンに転送された、上記第２状態信号を、受信する。
【００９１】
上記の第２受信モジュール８１が受信した上記第１状態信号は、電源管理側がハードウェア割り込みの方法によってタッチスクリーンに直接的に送信した第１状態情報であってもよい。第２受信サブモジュール９１が受信した上記第１状態信号は、電源管理側がソフトウェア命令の方法によってホスト側に送信してから、ホスト側がタッチスクリーンに転送した、第１状態信号であってもよい。
【００９２】
上記の実施例によると、電源管理モジュールは、ハードウェア割り込み方法或いはソフトウェア命令の方法によって、第２状態信号をタッチスクリーンに送信する。このようにして、第１端末のパーソナライズ設計要求を満たした上で、タッチスクリーンのポイント報告の処理効率を改善した。
【００９３】
図１０は、本発明の例示的なもう一つの実施例に係るタッチスクリーンのポイント報告を処理するための装置を示すブロック図である。上記実施例は、前記の図８または図９に示した実施例を基として、第２設定モジュール８２は、第２設定サブモジュール１０１を備えてもよい。
【００９４】
ここで、第２設定サブモジュール１０１は、上記第２状態信号に基づいて対応する第２スキャン頻度を設定する。
【００９５】
図１１は、本発明の例示的なもう一つの実施例に係るタッチスクリーンのポイント報告を処理するための装置を示すブロック図である。上記実施例は、前記の図１０に示した実施例を基として、第２処理モジュール８３は、第２処理サブモジュール１１１を備えてもよい。
【００９６】
ここで、第２処理サブモジュール１１１は、上記第２感度閾値及び上記第２スキャン頻度に基づいてタッチスクリーンのポイント報告に対して処理を行う。
【００９７】
上記の実施例によると、第２状態信号を受信した後、対応する第２感度閾値及び第２スキャン頻度を設定し、第２感度閾値及び第２スキャン頻度に基づいてタッチスクリーンのポイント報告に対して処理を行うことにより、処理後のポイント報告情報が誤りポイント報告の頻度を低くして、誤りポイント報告によってユーザに邪魔を与えることを防止して、ユーザ体験を改善した。
【００９８】
本発明は、図４に対応して、タッチスクリーンのポイント報告を処理するためのもう一種の装置をさらに提供する。上記装置は、第１端末のタッチスクリーンに利用される。
【００９９】
上記装置は、
プロセッサと、
上記プロセッサが実行可能な命令を記憶するためのメモリと
を備え、
上記プロセッサは、
第１端末の電源管理モジュールによって第１端末の充電ポートが接続状態にあることが検出されると、上記電源管理モジュールが送信した上記第１端末の充電ポートが接続状態にあることを示すための第１状態信号を受信し、
上記第１状態信号に基づいて対応する第１感度閾値を設定し、
上記第１感度閾値に基づいてタッチスクリーンのポイント報告に対して処理を行って、処理後の上記ポイント報告情報を第１端末のホスト側に送信する
ように構成される。
【０１００】
上記の実施例の装置について、その各モジュールが実行する操作の具体的な形態は既に当該方法に関する実施例において詳細に説明したため、ここでは詳細に説明しない。
【０１０１】
装置実施例は、基本的に方法実施例に対応するため、関連部分については、方法実施例の対応する部分を参照すればよい。上記装置実施例は例示的なものに過ぎない。上記独立の部材としてのモジュールは、物理的に独立するものであってもよいし、そうでないものであってもよく、モジュールとしての部材は、物理的なモジュールであってもよいし、そうでないものであってもよく、１つの位置にあってもよいし、複数のネットワークモジュールに分布していてもよい。本発明の技術案の目的を実現するために、必要に応じて上記モジュールの一部又は全部を選択することができる。これは、当業者が創造的労働をせずに理解して実施できることである。
【０１０２】
図１２は、本発明の例示的な一つの実施例に係るタッチスクリーンのポイント報告を処理するための装置１２００の構成を示すブロック図である。例えば、装置１２００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【０１０３】
図１２を参照して、装置１２００は、プロセスアセンブリ１２０２、メモリ１２０４、電源アセンブリ１２０６、マルチメディアアセンブリ１２０８、オーディオアセンブリ１２１０、入出力（Ｉ／Ｏ）インターフェイス１２１２、センサアセンブリ１２１４、及び通信アセンブリ１２１６のような一つ以上のアセンブリを含んでよい。
【０１０４】
プロセスアセンブリ１２０２は、一般的には装置１２００の全体の動作を制御するものであり、例えば、表示、電話呼び出し、データ通信、カメラ動作、及び記録動作と関連する動作を制御する。プロセスアセンブリ１２０２は、一つ以上のプロセッサ１２２０を含み、これらによって命令を実行することにより、上記の方法の全部、或は一部のステップを実現するようにしてもよい。なお、プロセスアセンブリ１２０２は、一つ以上のモジュールを含み、これらによってプロセスアセンブリ１２０２と他のアセンブリの間のインタラクションを容易にするようにしてもよい。例えば、プロセスアセンブリ１２０２は、マルチメディアモジュールを含み、これらによってマルチメディアアセンブリ１２０８とプロセスアセンブリ１２０２の間のインタラクションを容易にするようにしてもよい。
【０１０５】
メモリ１２０４は、各種類のデータを記憶することにより装置１２００の動作を支援するように構成される。これらのデータの例は、装置１２００において動作するいずれのアプリケーションプログラム又は方法の命令、連絡対象データ、電話帳データ、メッセージ、画像、ビデオ等を含む。メモリ１２０４は、いずれの種類の揮発性メモリ、不揮発性メモリ、記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１０６】
電源アセンブリ１２０６は、装置１２００の多様なアセンブリに電力を供給する。電源アセンブリ１２０６は、電源管理システム、一つ以上の電源、並びに、装置１２００のための電力の生成、管理及び割り当てに関連付けられている他のアセンブリを含んでもよい。
【０１０７】
マルチメディアアセンブリ１２０８は、装置１２００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ１２０８は、一つのフロントカメラ、及び／又はリアカメラを含む。装置１２００が、例えば撮影モード、或はビデオモード等の動作モードにある場合、フロントカメラ及び／又はリアカメラは、外部からマルチメディアデータを受信できる。フロントカメラとリアカメラのそれぞれは、一つの固定型の光レンズ系、或は可変焦点距離と光学ズーム機能を有するものであってもよい。
【０１０８】
オーディオアセンブリ１２１０は、オーディオ信号を入出力するように構成されてもよい。例えば、オーディオアセンブリ１２１０は、一つのマイク（ＭＩＣ）を含み、装置１２００が、例えば呼出しモード、記録モード、及び音声認識モード等の動作モードにある場合、マイクは外部のオーディオ信号を受信することができる。受信されたオーディオ信号は、さらにメモリ１２０４に記憶されたり、通信アセンブリ１２１６を介して送信されたりする。上記の実施例において、オーディオアセンブリ１２１０は、オーディオ信号を出力するための一つのスピーカーをさらに含む。
【０１０９】
Ｉ／Ｏインターフェイス１２１２は、プロセスアセンブリ１２０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１１０】
センサアセンブリ１２１４は、装置１２００に各種の状態に対する評価を提供するための一つ以上のセンサを含む。例えば、センサアセンブリ１２１４は、装置１２００のＯＮ／ＯＦＦ状態、装置１２００のディスプレイとキーパッドのようなアセンブリの相対的な位置決めを検出できる。また、例えば、センサアセンブリ１２１４は、装置１２００或は装置１２００の一つのアセンブリの位置変更、ユーザと装置１２００とが接触しているか否か、装置１２００の方位又は加速／減速、装置１２００の温度の変化を検出できる。センサアセンブリ１２１４は、何れの物理的接触がない状態にて付近の物体の存在を検出するための近接センサを含んでもよい。センサアセンブリ１２１４は、撮影アプリケーションに適用するため、ＣＭＯＳ又はＣＣＤ画像センサのような光センサを含んでもよい。上記の実施例において、当該センサアセンブリ１２１４は、加速度センサ、ジャイロスコープセンサ、磁気センサ、圧力センサ、及び温度センサをさらに含んでもよい。
【０１１１】
通信アセンブリ１２１６は、装置１２００と他の機器の間に有線又は利便性のよい形態の通信を提供する。装置１２００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１２１６は、放送チャンネルを介して外部の放送管理システムからの放送信号、又は放送に関連する情報を受信する。一つの例示的な実施例において、前記通信アセンブリ１２１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１１２】
例示的な実施例において、装置１２００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１１３】
例示的な実施例において、さらに、命令を含むコンピュータ読取り可能な非一時的な記録媒体、例えば命令を含むメモリ１２０４を提供しており、装置１２００のプロセッサ１２２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０１１４】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１１５】
本発明は上に記述され、また図面で示した厳密な構成に限定されず、その範囲を逸脱しない限り多様な置換えと変更を行うことができると、理解されるべきである。本発明の範囲は添付の特許請求の範囲のみにより限定される。
【０１１６】
本願は、出願番号がＣＮ２０１５１０８３４１８２.７であって、出願日が２０１５年１１月２５日である中国特許出願に基づいて優先権を主張し、当該中国特許出願のすべての内容を援用する。
【図１】
0006491237.tif 000002
【図２】
0006491237.tif 000003
【図３】
0006491237.tif 000004
【図４】
0006491237.tif 000005
【図５】
0006491237.tif 000006
【図６】
0006491237.tif 000007
【図７】
0006491237.tif 000008
【図８】
0006491237.tif 000009
【図９】
0006491237.tif 000010
【図１０】
0006491237.tif 000011
【図１１】
0006491237.tif 000012
【図１２】
0006491237.tif 000013